(57)【要約】【課題】  従来の畳の寸法調整装置は、寸法データに敷居に対して畳の厚みをどのように設定すればよいかというデータを含んでいないため、製作した畳を実際の部屋に敷き込んだ際に敷居と畳の上面の縁とに段差が生ずるという課題があった。【解決手段】  予め畳の上前側、下前側と左框側、右框側からなる畳材料の型式と厚みを畳番号毎に入力し記憶する材料厚み入力手段と、部屋の寸法を測定して寸法データが収集される寸法測定装置から入力した敷居の高さを入力する敷居高さ入力手段と、寸法測定装置から入力した敷居の高さデータから畳番号毎に畳の厚みを調整するために肉付けする位置と、肉付けする厚みを計算し、割り付ける厚み調整手段と、厚み調整結果を出力する手段を有し、敷居に対する畳の厚みを調整することを特徴とする敷居に対する畳の厚みを調整する畳の厚み調整装置。【選択図】図９
2014095222.tif 000002
【特許請求の範囲】
【請求項１】
敷居に対する畳の厚みを調整する畳の厚み調整装置であって、予め畳の上前側、下前側と左框側、右框側からなる畳材料の型式と厚みを畳番号毎に入力し記憶する材料厚み入力手段と、部屋の寸法を測定して寸法データが収集される寸法測定装置から入力した敷居の高さを入力する敷居高さ入力手段と、寸法測定装置から入力した敷居の高さデータから畳番号毎に畳の厚みを調整するために肉付けする位置と、肉付けする厚みを計算し、割り付ける厚み調整手段と、厚み調整結果を出力する手段を有し、敷居に対する畳の厚みを調整することを特徴とする畳の厚み調整装置。
【請求項２】
前記厚み調整手段では、畳の上前側と下前側は厚み調整材料の種類と枚数が表示され、左框側と右框側は畳表の折り曲げ回数が表示されることを特徴とする請求項１記載の畳の厚み調整装置。
【請求項３】
前記厚み調整手段は、畳の上前、下前及び左框、右框の複数個所に厚みを割り付けることを特徴とする請求項１または２記載の畳の厚み調整装置。
【請求項４】
前記材料厚み入力手段では、畳の縁、畳表、畳の保護材、畳床と厚み調整材のそれぞれの型式と厚みが入力され、敷居高さ入力手段では、畳基準データ、くせデータ、敷居の高さデータが入力され、厚み調整手段では、畳の縁、畳表、保護材、畳床の各厚みデータと敷居の高さデータから肉付けする部位と肉付けする厚みを計算することを特徴とする請求項１記載の畳の厚み調整装置。
【発明の詳細な説明】
【技術分野】
【０００１】
本発明は、畳の厚み調整装置に関し、詳しくは、部屋の寸法測定装置で得られたデータを基に敷居と畳の上面の縁部との段差を調整できる畳の厚み調整装置に関する。
【背景技術】
【０００２】
従来、畳の寸法調整装置として、部屋の寸法を測定して寸法データを収集する部屋の寸法測定装置より読み出し、寸法データに適した畳の敷き込みパターンを割付けする畳の寸法調整装置（くせ取り装置）において、寸法測定装置において測定する寸法データは、部屋を平面視した状態の畳の巾方向と長さ方向に関するデータで、敷居に接する畳の基準寸法に対する偏差を算出する演算手段と、算出された割付け結果を表示する表示手段を具備し、敷居に接する畳床の基準寸法に対する偏差を算出する演算手段と、該演算手段によって算出された割付け結果に基づいて、かまち裁断機および平刺し機を制御する畳の寸法調整装置は本出願人によって既に開発されている。（特許文献１）
【先行技術文献】
【特許文献】
【０００３】
【特許文献１】特許第２６８４１３９号公報
【発明の概要】
【発明が解決しようとする課題】
【０００４】
前記特許文献１に記載された畳の寸法調整装置は、寸法データに敷居に対して畳の厚みをどのように設定すればよいかというデータを含んでいないため、製作した畳を実際の部屋に敷き込んだ際に敷居と畳の上面の縁とに段差が生ずる場合がある。これを図１を参照して説明する。
【０００５】
図１に、和室の敷居と床（ゆか）の位置関係を示す。家を新築したり改築する場合、大工は敷居５の両端を柱４に固定する時には、敷居５に水準器を当てて敷居５が水平になる様に位置調整しており、この作業時に敷居５と床３との平行は特に意識されていない。この結果、床３から敷居５の表面までの距離（以下では「敷居の高さ」と称する）は、同一部屋内においても必ずしも均等ではないため、この様な部屋に、厚みが均一な畳を敷き込むと畳１と敷居５との間に段差が生じる。
【０００６】
部屋に新畳を敷き込む際には、畳の表面と敷居の表面を平行になるように敷き込み、畳表面と敷居表面との高さ関係は、畳表面の方を若干低くし、高低差は３ｍｍ以内とすることが従来より好ましいとして考慮されてきているが、近年では、バリアフリーの要求がさらに厳格になり、高低差を１ｍｍ以内とすることが要求される場合もある。
【０００７】
この要求を満たす為には、畳が敷き込まれる部屋の敷居と床（ゆか）の高低差に合わせて、畳の部位毎に厚みを調整した畳（裏面が均一な平面ではない畳）を製造する必要がある。
【０００８】
前記した通り、畳と敷居の関係において、畳の表面の方が敷居より低く、高低差が３ｍｍ以内であることが好ましいとされているが、従来の作業方法では高低差が３ｍｍよりも大きい場合が畳を敷き込んだ後にわかる場合がある。
そのため、３ｍｍより大きな段差が出てしまっている場合には、敷き込みの際に畳を再度持ち上げて、段差のついた個所を調整するシートや部材をいれたりする手間を要するという課題を有していた。
この課題を解決するため、部屋の寸法測定個所のそれぞれの敷居の高さを寸法測定時に測定してメモにとり、そのメモから１枚１枚の畳の厚み寸法を計算し、敷居に接する部分の畳の厚み調整を行いながら畳の製作をするという手間をかけて畳の製作をしなければならなかった。
【０００９】
本発明はこれらの手間を有する作業を自動化できる畳厚み調整装置を提供することを目的とする。
【課題を解決するための手段】
【００１０】
本発明は上記した課題を解決するもので、敷居に対する畳の厚みを調整する畳の厚み調整装置であって、予め畳の上前側、下前側と左框側、右框側からなる畳材料の型式と厚みを畳番号毎に入力し記憶する材料厚み入力手段と、部屋の寸法を測定して寸法データが収集される寸法測定装置から入力した敷居の高さを入力する敷居高さ入力手段と、寸法測定装置から入力した敷居の高さデータから畳番号毎に畳の厚みを調整するために肉付けする位置と、肉付けする厚みを計算し、割り付ける厚み調整手段と、厚み調整結果を出力する手段を有し、敷居に対する畳の厚みを調整することを特徴とする。
【００１１】
また、前記厚み調整手段では、畳の上前側と下前側は厚み調整材料の種類と枚数が表示され、左框側と右框側は畳表の折り曲げ回数が表示されることを特徴とする。
【００１２】
また、前記厚み調整手段は、畳の上前、下前及び左框、右框の複数個所に厚みを割り付けることを特徴とする。
【００１３】
また、前記材料厚み入力手段では、畳の縁、畳表、畳の保護材、畳床と厚み調整材のそれぞれの型式と厚みが入力され、敷居高さ入力手段では、畳基準データ、くせデータ、敷居の高さデータが入力され、厚み調整手段では、畳の縁、畳表、保護材、畳床の各厚みデータと敷居の高さデータから肉付けする部位と肉付けする厚みを計算することを特徴とする。
【発明の効果】
【００１４】
本発明の畳厚み調整装置によると、畳製造工程において、作業者が、畳番号毎に、畳毎の厚みと、肉付けする部位の位置と、肉付けする部位の厚みを知ることができ、左框側と右框側については、「畳表を折り曲げる回数」を、上前側と下前側については「厚み調整材料を重ねる枚数」を、知ることができるので、畳一枚一枚毎に異なる厚み調整を正確迅速に行うことができ、畳を部屋に敷き込む際に、敷居と畳、また、隣接する畳同士の高低差（段差）を１ｍｍ以内にすることが可能な畳を自動的に製造できる畳厚み調整装置を提供することができる。
【図面の簡単な説明】
【００１５】
【図１】（ａ）は畳が敷かれる部屋の敷居、畳寄せ、柱の構成説明図、（ｂ）は畳の断面である。
【図２】八畳、六畳の部屋の平面図と寸法測定装置による測定地点説明図。
【図３】測定結果表示図。
【図４】敷居の高さデータから畳番号毎に厚みを割り付けした表示図。
【図５】図４の畳を八畳の部屋に敷いた状態の平面図。
【図６】（ａ）は畳の上前側と下前側、(ｂ）は左框側と右框側の厚み調整を示す断面図。
【図７】畳の表面から裏面を透視した平面図。
【図８】畳番号毎の厚み調整部位を示す平面図。
【図９】本発明の畳の厚み調整装置のシステムのフローチャート。
【図１０】材料の型式と材料の厚みデータ表示図。
【図１１】材料選択画面図。
【図１２】八畳−<4>の畳の畳表を下にした畳の画像データ図。
【図１３ａ】（ａ）は畳の厚みデータレコード図。
【図１３ｂ】（ｂ）は畳の厚みデータレコード図。
【図１４ａ】（ａ）は上前、下前のフロー説明図。
【図１４ｂ】（ｂ）は上前、下前のフロー説明図。
【図１４ｃ】（ｃ）は框の厚み調整計算のアルゴリズムのフロー説明図。
【図１５】本発明の畳の厚み調整装置のシステム構成図。
【発明を実施するための最良の形態】
【００１６】
（実施例）
本発明の実施の形態について、８畳と６畳の２間続きの部屋を例に説明する。
図２は、新築の家の二間続きの和室である。
【００１７】
点線は、この部屋に畳を敷いた場合の、畳枚数と敷く方向を示す。上側は、八畳の和室Ａであり、下側は六畳の和室Ｂである。部屋続きの敷居５は、二つの部屋が隔てる襖を建てる為の敷居である。出入り口の敷居６は、この二間続きの和室に出入り口の襖を建てる為の敷居である。
【００１８】
図２は八畳の和室Ａを寸法測定装置１３で採寸する状態を示す。寸法測定装置１３は当社で開発した特願２０１２−１６２９０３寸法測定装置を使う。
【００１９】
部屋のほぼ真ん中に寸法測定装置１３を置いて、この部屋の現場情報や敷き込む畳のサイズ基準である「五八」、「三六」、「本間」を入力してから、測定が必要な箇所に探触子１３ａを順番に当てていき、測定点毎の長さデータと角度データと敷居の高さを測定する。○印が測定点である。
【００２０】
部屋続きの敷居５の部分の敷居の高さは、八畳の部屋の床（ゆか）からの高さと、六畳の部屋の床（ゆか）からの高さと、それぞれについて測定する。
【００２１】
図３に測定した結果を示す。横長の楕円形で囲んだ中の数値（５８．０）、（５９．０）、（６０．０）などは、「敷居の高さ」である。単位はｍｍで小数点以下１桁まで測定し、  各測定点毎に、長さデータと角度データから計算したくせ値を記憶する。
【００２２】
くせ値は、特許第２６８４１３９号明細書に記載するように、寸法測定装置１３より各部屋の寸法データを読み込み、読み込まれた部屋の寸法データについて、敷き込みパターンを参照し、ほぼ均等な大きさに比例配分する均等割付、あるいは、柱を基準とする柱基準割付などによって複数枚の畳を割り付け、敷居に接する畳については、下前、框の偏差を計算し、畳番号とともに基準寸法の畳床に対する偏差を各畳床ごとに畳番号を付して偏差データとして取得される。
【００２３】
測定した測定点の番号と敷居の高さとくせ値を対応付けて後記する敷居高さ入力工程で記憶しておき、必要に応じて表示する。図３の点線で囲んだ、八畳−<1>、八畳−<2>、八畳−<3>、・・・八畳−<8>は、この部屋に敷き込む畳、一枚一枚に割り付けた「畳番号」（連番）である。
【００２４】
図４は、一枚一枚の畳を表面から見た平面図で、各畳の向きは、上前側は上で下前側は下である。図４は、図２と図３で採寸した畳を、図３の「敷居の高さ」データから、「畳番号」毎の厚みを割り付けした結果を表示している。実際に部屋に敷き込む時の向きとは異なっている。下前側が敷居や床の間や壁の畳寄せに接する様に、畳同士は上前側同士が接触する様に敷かれる。
【００２５】
間中の場合においては、上前の辺に３つの厚みを割り付け、下前の辺に３つの厚みを割り付け、左框の辺に２つの厚みを割り付け、右框の辺に２つの厚みを割り付ける。
【００２６】
図４の左上の八畳−<1>の、上側の辺は上前であり、３つの数値（５５．０）、（５５．０）、（５５．０）に示す個所は、部屋に敷いた時には、図５に示すように八畳−<6>と八畳−<7>に接する個所であり、下側の辺の３つの数値（５９．０）、（５８．０）、（５８．０）に示す個所は、部屋に敷いた時には、床の間に接する個所である。
【００２７】
同様に左側の辺は、左框であり、２つの数値（５５．０）、（５５．０）に示す個所は、部屋に敷いた時には、八畳−<2>の畳に接する個所であり、右側の辺は、右框であり、２つの数値（５９．０）、（５８．０）に示す個所は、部屋に敷いた時には、壁の「畳寄せ」に接する個所である。
【００２８】
同様に、図４の右下の八畳−<8>の、上前の３つの数値（５５．０）、（５５．０）、（５５．０）に示す個所は、八畳−<7>に接する個所である。下前の３つの数値（５５．０）、（５５．０）、（５５．０）に示す個所は、八畳−<5>と八畳−<4>に接する個所であり、左框の２つの数値（５５．０）、（５５．０）に示す個所は、部屋に敷いた時には、八畳−<6>に接する個所であり、右框の２つの数値（５５．０）、（５５．０）に示す個所は、部屋に敷いた時には、八畳−<3>の畳に接する個所である。
【００２９】
図６（ａ）、図６（ｂ）は畳の断面図で、図６（ａ）は上前側と下前側の厚み調整方法を示し、図６（ｂ）は左框側と右框側の厚み調整方法を示す。畳断面の各部の厚みは、上から、仕上がった畳全体の厚みをＳ、縁（へり）部と縁下紙をＦ、畳表部をＯ、保護材部をＨ、畳床（とこ）部をＴ、厚み調整材による厚み調整部Ａ、畳表の折り返しによる厚み調整部をＤとする。寸法Ｆは畳表の表面から縁の上面までの寸法値であり、縁と縁下紙を畳へ縫着するタイプでも、畳へ貼付するタイプでも適用できる。
【００３０】
図７は畳の表面から裏面を透視した平面図である。図７の点線は厚み調整を施す部位を示す。本発明では、厚み調整を施す部位を、上前の辺を１０ａ、１０ｂ、１０ｃと３つに分割し、下前の辺を１０ｆ、１０ｇ、１０ｈと３つに分割している。また、左框の辺を１０ｉ、１０ｊと２つに分割し、右框の辺を１０ｄ、１０ｅと２つに分割している。
【００３１】
畳の厚み調整は、図６（ａ）に示す、上前側と下前側においては、厚み調整材を重ねることにより畳の厚みを調整され、「仕上がった畳」Ｓ＝Ｆ＋Ｏ＋Ｈ＋Ｔ＋Ａ＋Ｏとなる。
厚み調整材による厚み調整部Ａの厚さは、Ｂ（厚み調整材一枚の厚み）×Ｃ（枚数）である。
上前側と下前側の畳の厚みＳには、縁（ヘリ）を含んでいる。下前、上前とも框にて畳裏面にまで巻き込んだ畳表があるために標準寸法として厚みＯを２回加算するようにしている。
【００３２】
図６（ｂ）に示す、左右框側においては、畳表材を折り返すことにより畳の厚みが調整され、「仕上がった畳」Ｓ’＝Ｆ＋Ｏ＋Ｈ＋Ｔ＋Ｄとなる。
畳表の折り返しによる厚み調整部Ｄの厚さはＯ（表の厚み）×（Ｎ（枚数）＋１）である。左右框側の、畳の厚みＳ’にも、縁（ヘリ）と縁下紙を含んでいる。
【００３３】
もちろん、上前や下前においては、框にて畳表裏面にまで巻き込んだ畳表を仕上がり寸法に入れないF＋Ｏ＋Ｈ＋Ｔ＋Ａを仕上がり寸法Ｓとしたり、左右框においては、Ｏ＋Ｈ＋Ｔ＋Ｄと縁の寸法を入れない畳表の上面までの寸法を仕上がり寸法Ｓ’としてもよい。どの寸法を仕上がり寸法とするかは、畳製造業者で選択可能である。また、左右框においては、畳表の折り返しによる厚み調整部Ｄとして構成しているが、畳表は折り返しせずに、上前、下前と同様に厚み調整材を使用する構成としても良い。もちろん畳表の折り返し回数で調整することと厚み調整材で調整するという両方を行うように構成してもよい。上前・下前と左右框の仕上がり寸法の設定（例えばＦ＝０として縁を含まない場合や、上前・下前において畳表の巻き込みがない部分を仕上がり寸法として畳表を２回加算しない場合や、畳表裏面まで縁を巻き込んだ構成でＦを２回加算する場合など）の組合せによっては、上前・下前と左右框の仕上がり寸法の値が同じにならずに異なる場合もある。上前・下前と左右框の仕上がり寸法については、畳裏面にまで巻き込んだ畳表の寸法を加算するかしないかで上前・下前の中央の部分と左右部分にて寸法の違いが発生することもあり、これらを補正するようなアルゴリズムとすることもできる。
【００３４】
以下においては、上前・下前については、Ｓ＝Ｆ＋Ｏ＋Ｈ＋Ｔ＋Ａ＋Ｏ、左右框においては、Ｓ’＝Ｆ＋Ｏ＋Ｈ＋Ｔ＋Ｄをそれぞれ標準寸法の構成として説明するが、この計算式の寸法のみに限定するわけではなく、上記のように仕上がり寸法の構成については種々の態様が採用できる。
【００３５】
次に断面計算の根拠について説明する。
畳床は、規格厚みが５５ｍｍで仕上がり厚みが６０ｍｍの床（とこ）、規格厚みが５０ｍｍで仕上がり厚みが５５ｍｍの床（とこ）、規格厚みが１０ｍｍで仕上がり厚みが１５ｍｍの床（とこ）の３種類あり、畳の厚みの基本寸法は５５ｍｍであるが、住宅の仕様に合わせて１５〜６０ｍｍ程度まで厚み調整ができるように畳床の素材が販売されており、注文に沿って畳製造業者は畳床の素材を仕入れて使用している。
【００３６】
作業者が、図１５に示すＩＴ機器の材料選択画面（図示せず）から畳製造の条件として
１：縁（へり）Ｂ、（厚みＦ＝１．０）
２：畳表Ｃ、    （厚みＯ＝１．０）
３：保護材Ａ、  （厚みＨ＝２．０）
４：床（とこ）Ｂ、（厚みＴ＝５０）
を選択入力することによって製造する畳の仕上がり厚みを算出する。もちろん通常よく使用する仕上がり厚み６０ｍｍ、５５ｍｍ、１５ｍｍを選択できるようにしておき、仕上がり厚みを選択することで、１〜４が自動的に選択入力されるようなシステムとしておくと作業者に好適である。以上の入力による仕上がり厚みと「部屋の寸法測定装置」から入力した「敷居の高さデータ」から、畳に肉付けする部位と、肉付けする部位の厚みを計算する。
【００３７】
図１１は作業者が材料名、床、縁、畳表、保護材、厚みの合計を材料選択画面に入力した画面であり、後記する図９のフローの処理ＳＴＰ４の画面である。
◎
【００３８】
図１１において「材料名」の欄に、使用する材料を入力し、床（とこ）Ｂを入力すると、図１０の記憶データから読み出して、仕上厚み＝５５．０と規格厚み＝５０．０を、図１１の画面の床（とこ）Ｂの「材料の厚み ｍｍ」の欄に表示する。
同様に、縁（へり）Ａを入力すると、 縁（へり）の厚み１．０を「材料の厚み ｍｍ」の欄に表示する。畳表Ａを入力すると、畳表Ａの厚み１．０を「材料の厚み ｍｍ」の欄に表示する。畳表は折り曲げて使うので、厚みは２倍する。保護材Ａを入力すると、保護材Ａの厚み２．０を「材料厚み ｍｍ」の欄に表示する。全ての厚みの材料の合計を、一番下の「厚みの合計   仕上がり厚み    ＝５５．０」の欄に表示する。
【００３９】
作業者は、「厚みの合計  仕上がり厚み＝５５．０」が、床（とこ）Ａの仕上厚み＝５５．０ に一致する様な、縁（へり）と畳表と保護材を選択する。
【００４０】
材料の厚みデータは、図１０に示す予め記憶させたデータを記憶部から読み出して使う。また、上記したように仕上がり厚みを選択することで前記１〜４の工程を自動的に設定されるようにしても良い。
【００４１】
また、畳の仕上がり厚みは、原則として、どの畳床（とこ）を使用するかで決めるものとしている。もちろん上記の１〜４の材料の選択によって１５，５５，６０ｍｍ以外の仕上がり厚みで製作することも可能であるが、よく使用する仕上がり厚みの例を用いて以下説明する。
【００４２】
例えば、作業者が畳床（とこ）Ｂを選んだ場合は、予め記憶している材料の厚みデータの、畳床（とこ）Ｂの仕上がり厚み＝５５ｍｍから、製造する八畳の部屋の畳み全部（八畳−<1>から八畳−<8>の８枚）について、標準の仕上がり厚み（厚み調整を施さない部分の仕上がり厚み）を５５ｍｍとする。変更が必要な場合は、作業者は変更したい仕上がり厚みを入力する。
【００４３】
変更したい仕上がり厚みＳが、床（とこ）Ｂの仕上がり厚みＳ＝５５ｍｍよりも大きい場合は、例えば、保護材Ａの厚みをＨ＝２．０ｍｍに、その差を加算することで保護材で畳の厚みを調整するように製造することができる。
【００４４】
変更したい仕上がり厚みＳが、床（とこ）Ｂの仕上がり厚みＳ＝５５ｍｍよりも小さい場合は、エラーを出力し正しい寸法値の入力を促すようにする。
【００４５】
本実施例の図２の八畳用の畳の場合は、図３の「敷居の高さデータ」から、「規格厚みＴが５０ｍｍで、仕上がり厚みＳが５５ｍｍの床（とこ）」を使うのが好適である。その理由は、仕上がり厚みＳが、敷居の高さの一番低い所（５８．０ｍｍ）より少し低い床（とこ）を用いて、敷居に接しないところの部分（畳同士が接する部分）は仕上がり厚みＳ＝５５ｍｍのままとし、敷居に接するところで、敷居より１ｍｍ以上低くなるところには、厚み調整部を肉付けして、厚みを増やすという方法で厚み調整をする為である。本発明では、畳床（とこ）を削ったり、加圧（プレス）したりして厚みを減らして調整することはしない。
【００４６】
図８は、各畳番号ごとの厚み調整を施す部位の位置を示したものである。畳の表面から裏面を透視した図であり、色を塗っている部分が厚み調整を施す部位である。色を塗っていない部分は厚み調整をしない部分（仕上がり厚み＝５５ｍｍのままにしておく部分）である。
【００４７】
「割り付け厚み」＝「仕上がり厚み」＋「厚み調整部の調整厚み（肉付け部の厚み）」とし、「割り付け厚み」とは、図４の楕円形で囲んだ数値で、部屋の寸法測定装置から入力した「敷居の高さ」から割り付けた畳番号毎の厚みである。
【００４８】
これを八畳−<1>と八畳−<4>を例にし、具体的計算方法と結果について説明する。
八畳−<1>について割り付け厚み５８ｍｍに対して、実際の畳の厚みを５８ｍｍにするための折り返し回数は次のように計算される。
框側の厚みはＳ’=Ｆ＋Ｏ＋Ｈ＋Ｔ＋Ｄであり、Ｄ=Ｏ×(Ｎ＋１)の式から、折り返しＮ回を求める。Ｆ：縁＝１ｍｍ、Ｏ：畳表＝１ｍｍ、Ｈ：保護材＝２ｍｍ、Ｔ：畳床＝５０ｍｍとすると
Ｎ＝(Ｓ−Ｆ−2Ｏ−Ｈ−Ｔ)／Ｏ
=(58−1−2×1−2−50)／1
＝3
で畳表の折り返し数は３である。
【００４９】
割り付け厚み５８ｍｍに対して、実際の畳の厚みを５８ｍｍにするための厚み調整材の枚数は次のように計算される。
下前の厚みはS=F+２O+H+T+A  A=B×Cの式から、厚み調整材の枚数Cを求める。
Ｆ：縁＝１ｍｍ、Ｏ：畳表＝１ｍｍ、Ｈ：保護材＝２ｍｍ、Ｔ：畳床＝５０mm、Ｂ：厚み調整材の厚み＝１ｍｍとすると
Ｃ＝(Ｓ−Ｆ−2Ｏ−Ｈ−Ｔ)／Ｂ
＝(58−1−2×1−2−50)／1
＝3
で厚み調整材の枚数は３である。
【００５０】
八畳−<4>について、割り付け厚み６０．５ｍｍに対して、実際の畳の厚みを６０ｍｍにするための畳表の折り返し回数は次のように計算される。
框側の厚みはＳ’＝Ｆ＋Ｏ＋Ｈ＋Ｔ＋Ｄ、Ｄ＝Ｏ×(Ｎ＋１)の式から、折り返しＮ回を求める。Ｆ：縁＝１ｍｍ、Ｏ：畳表＝１ｍｍ、Ｈ：保護材＝２ｍｍ、Ｔ：畳床＝５０ｍｍとすると
Ｎ＝(Ｓ−Ｆ−2Ｏ−Ｈ−Ｔ)／Ｏ
=(60.5−1−2×1−2−50)／1
＝5.5
優先順位１の部屋続きの敷居になるので、畳表面が低くなるように、小数点以下切り捨てて、Ｎ＝５とする。折り返し回数は５である。
【００５１】
割り付け厚み６１．５ｍｍに対して、実際の畳の厚みを６１ｍｍにするための厚み調整材の枚数は次のように計算される。
下前の厚みはＳ＝Ｆ＋２Ｏ＋Ｈ＋Ｔ＋Ａ、Ａ＝Ｂ×Ｃの式から厚み調整材の枚数Ｃを求める。Ｆ：縁＝１ｍｍ、Ｏ：畳表＝１ｍｍ、Ｈ：保護材＝２ｍｍ、Ｔ：畳床＝５０mm、Ｂ：厚み調整材の厚み＝１ｍｍとすると
Ｃ＝(Ｓ−Ｆ−２Ｏ−Ｈ−Ｔ)／Ｂ
＝(61.5−1−2×1−2−50)／1
＝6.5
小数点以下切り捨てて、畳表面が低くなるように、Ｃ＝６とする。厚み調整材の枚数は６である。
【００５２】
このような計算方法による厚み調整計算結果として、図４の画像データと、図６ａの画像データと、図６（ｂ）の画像データと、図８の画像データと、図１２の画像データと、図１３（ａ）と図１３（ｂ）の数値データを出力し、畳製造機器に送信する。
【００５３】
図１２の画像データは、八畳−<4>の畳を畳表を下にしてひっくり返した図である。畳を造る場合は、畳床（とこ）が上側に、畳表を下側にして造る場合が多いからである。
【００５４】
図１３の畳の厚みデータレコードの○には、後記する図１４（ａ）と図１４（ｂ）と図１４（ｃ）のアルゴリズムで求めた数値が代入される。
【００５５】
畳製造機器を用いて畳を製造する工程は、一般に、框切断工程、框縫い工程、平刺し工程、隅止め工程、返し縫い工程に分割される。左框側と右框側の、畳表を折り曲げる作業は、框縫い工程を実行する時に行うと作業し易く、上前側と下前側の厚み調整材料を重ねる作業は、返縫い工程を実行する時に行うと作業し易い。
【００５６】
畳製造機器の表示部には、本発明の厚み調整装置から送られてきたデータを基に、厚み調整を施す部位の位置とその厚みが表示されるので、作業者は表示された図を見ながら、框縫いの時は畳表を折り曲げ、返縫いの時は厚み調整材料を重ねることで畳の厚みの調整を行う。
【００５７】
図５に仕上がった畳を敷き込んだ状態を示す。八畳−<7>と八畳−<8>や、八畳−<3>と八畳−<6>の様に、敷き込んだ場合に畳同士が接する辺の厚みは標準仕上がり厚み５５ｍｍ同士が接する。
【００５８】
図１５に本発明のシステム構成を示す。ＩＴ機器とはデスクトップパソコンやノートパソコンや携帯端末装置である。部屋の寸法測定装置とのインターフェイスは当社が開発した特願２０１２−１６２９０３号に記載された寸法測定装置で、各測定点の長さデータ、角度データ、敷居の高さデータ、極座標に変換した部屋の寸法データ、畳基準データ、部屋のくせデータ、部屋の現場情報を有線又は無線通信、シリアル又はパラレル通信でＩＴ機器と送受信する。
【００５９】
図１５の右側は複数の畳製造機器である。本発明は畳製造機器に前記各データを無線シリアル通信で送受信する。畳製造機器は、受信した画面データを表示部に表示する。その他インターネット回線とデータを送受信する。また、印刷機にデータを送信する。
【００６０】
次に図９に本発明の厚み調整装置が実行する動作のフローチャートを示す。材料厚み入力工程であるＳＴＰ１とＳＴＰ２は、本発明の厚み調整装置で用いる材料を登録する工程である。畳職人が材料登録画面（図示せず）から自畳店が使う畳材料の型式とその厚みを入力し、記憶部に格納する。
【００６１】
図１０に示す様に、「縁（へり）」の型式と、その厚みＦ（単位ｍｍ）、「畳表」の型式と、その厚みＯ（単位ｍｍ）、「保護材」の型式と、その厚みＨ（単位ｍｍ）、「畳床（とこ）」の型式と、その厚みＴ（単位ｍｍ）、「厚み調整材」の型式と、その厚みＢ（単位ｍｍ）が記憶される。
【００６２】
各材料の厚みは厚み調整部の計算に必要な条件である。ＳＴＰ１とＳＴＰ２は一番最初に本システムを利用する時、または新しい材料を使う時に実行すればよい。通常はＳＴＰ３から実行すればよい。
【００６３】
ＳＴＰ３は敷居高さデータを入力する工程である。部屋の寸法測定装置から、畳基準データ、くせデータ、各測定点の敷居の高さデータを無線シリアル通信により入力する。また、キーボードから入力することもできる。敷居高さデータは厚み調整部の計算に必要な条件であり、処理ＳＴＰ５で使うデータである。
【００６４】
厚み調整計算工程であるＳＴＰ４とＳＴＰ５は厚み調整を計算する処理である。後記する図１４（ａ）、図１４（ｂ）、図１４（ｃ）のフローを実行する処理である。作業者が、図１１の画面から、例えば図４に示す畳の場合、縁（へり）Ａ、畳表Ａ、保護材Ａ、床（とこ）Ｂを決定すると畳の仕上がり厚みを算出する。
【００６５】
ＳＴＰ３で「部屋の寸法測定装置」から入力した敷居の高さデータから、図１４（ａ）、図１４（ｂ）、図１４（ｃ）のフローを実行して、肉付けする部位の位置と肉付けする部位の厚みを計算する。
【００６６】
前記計算で使用する材料厚みデータはＳＴＰ１とＳＴＰ２で入力（記憶）された、図１０に記載の材料名と厚みデータを記憶部から読み出して使う。
【００６７】
ＳＴＰ６は、結果出力工程で厚み調整計算工程の計算結果を畳製造機器と印刷機に出力する工程である。図４の画像データと、図６（ａ）、図６（ｂ）の画像データと、図８の画像データと図１２の画面データと図１３（ａ）、図１３（ｂ）の数値データを出力する。
【００６８】
次に、厚み調整材の選定と枚数算出のアルゴリズムについて説明する。図１４（ａ）と図１４（ｂ）は、上前・下前の厚み調整材料の選定と枚数算出のアルゴリズムのフローを示す。厚み調整計算アルゴリズムは上前・下前どちらも同一なので、下前側の下前左と下前中と下前右で説明する。
【００６９】
下記の説明において、厚み調整材ａ、ｂ、ｃ、縁Ｆ、畳表Ｏ、保護材Ｈ、畳床Ｔは、図９のＳＴＰ１の材料厚み入力工程で入力した値であり、下前左ＭＬと下前中ＭＣと下前右ＭＲは、図９のＳＴＰ３で入力した部屋の寸法測定装置から取り込んだ値である。Ｍ１、Ｍ２、Ｍ３、Ｓ、Ａ’、Ａ、ｆ、ｈ、ｊは、図９のＳＴＰ５に記載の厚み調整計算工程で使用した値であり、厚み調整材の枚数Ｅ’、Ｇ’、Ｉ’、Ｅ、Ｇ、Ｉは、図９のＳＴＰ６の結果出力の値である。具体的な数値として、図４の八畳−<2>の畳の厚み割り付け数値を用いて説明する。
【００７０】
処理CTP1
下前左MLと下前中MCと下前右MRの厚みが異なっているか判断する。例えば図４の八畳−<2>は、下前左が62.0mm、下前中が59.0mm、下前右が59.0mmである。下前の厚みが異なっており、CTP2へ進む。
処理CTP2
下前の差分計算をする。下前左MLと下前中MCの差をM1、下前右MRと下前中MCの差をM2、下前左MLと下前右MRの差をM3とする。図４の八畳−<2>は、M1＝62.0−59.0＝3.0mm、M2＝59.0−59.0＝0.0mm、M3＝62.0−59.0＝3.0mmとなる。
処理CTP3
図６（ａ）に示す予め決定された厚み調整材の厚みBの使用順位を決定する。1番目はa  mm、２番目はb  mm、3番目はc  mmと予め設定されている。少ない厚み調整材の枚数で厚み調整をするアルゴリズムとする。例えば、aを3.0mm、bを2.0mm、cを1.0mmとする。
処理CTP4
厚み調整部A’にM1を代入してCTP5へ進む。
処理CTP5
厚み調整部A’≠0の場合、CTP6へ進みA’=0の場合、CTP15へ進む。図４の八畳−<2>は、M1が3.0mmなので、CTP6へ進む。
処理CTP6
厚み調整部A’と厚み調整材aがA’>=a満たすかどうかを比較する。図４の八畳−<2>のM1は、A’が3.0mmであり条件を満たすのでCTP7へ進む。
処理CTP7
A’>=aの場合、厚み調整部A’ を厚み調整材aで割って、(商)により厚み調整材aの枚数E’を算出する。(商)の(余り)をf mmとして記憶する。図４の八畳−<2>は、3.0／3.0＝1・・・0.0  
処理CTP8
CTP6を満たさないA’<aの場合、厚み調整部A’を厚み調整材bで割って、(商)により厚み調整材bの枚数G’を算出する。(商)の(余り)をh mmとして記憶する。
処理CTP9
CTP7で記憶した残りの厚み調整部fと厚み調整材bを比較する。図４の八畳−<2>は、残りの厚み調整部0.0と厚み調整材2.0を比較する。
処理CTP10
f>=bの場合、残りの厚み調整部f を厚み調整材bで割って、(商)により厚み調整材bの枚数G’を算出する。(商)の(余り)をh mmとして記憶する。
処理CTP11
CTP9を満たさないf<bの場合、残りの厚み調整部f を厚み調整材cで割って、(商)により厚み調整材cの枚数I’を算出する。(商)の(余り)をh mmとして記憶する。図４の八畳−<2>においては、0.0/1.0＝0・・・0.0    
処理CTP12
残りの厚み調整部hと厚み調整材cにおいてh>=cを満たすかどうか比較する。
処理CTP13
h>=cを満たす場合、残りの厚み調整部h を厚み調整材cで割って、(商)により厚み調整材cの枚数I’を算出する。(商)の(余り)をj mmとして記憶する。
処理CTP14
h<cを満たす場合  厚み調整材cの枚数I’=0となる。
処理CTP15
MLとMCの間に使用するM1の必要な厚み枚数を算出する。M1の厚み調整材はa mmがE’枚、b mmがG’枚、c mmがI’枚。続けて、CTP4でA’にM2を代入してCTP15まで処理を繰り返す。A’にM3を代入してCTP15まで処理が進めば、CTP21へ進める。図４の八畳−<2>は、
下前左MRの厚み調整材は、3mmが1枚、2mmが0枚、1mmが0枚
下前中MCの厚み調整材は、3mmが0枚、2mmが0枚、1mmが0枚
下前右MLの厚み調整材は、3mmが0枚、2mmが0枚、1mmが0枚となる。
処理CTP21
下前左MRと下前中MCと下前右MLを比べて、厚みが少ない方を基準Sとする。例えば、図４の八畳−<2>は、下前左62.0mmと下前中59.0mmと下前右59.0mmを比べて、厚みの少ない下前中をS＝59.0ｍｍとする。
処理CTP22
厚み調整部Amm は、図６（ａ）の計算式S=F+O+H+T+O+Aより計算する。
図４の八畳−<2>は、Fを1.0mm、Oを1.0mm、Hを2.0mm、Tを50.0mm、Sを59.0mmとし、A=59.0−1.0−1.0×2−2.0−50.0＝4.0mm
処理CTP23
厚み調整部Aと厚み調整材aを比較する。図４の八畳−<2>は、厚み調整部Aが4.0mm、厚み調整材aは3.0ｍｍを比較する。
処理CTP24
A>=aの場合、厚み調整部A を厚み調整材aで割って、(商)により厚み調整材aの枚数Eを算出する。(商)の(余り)をf mmとして記憶する。
図４の八畳−<2>は、4.0／3.0＝1・・・1.0  
処理CTP25
A<aの場合、厚み調整部A を厚み調整材bで割って、(商)により厚み調整材bの枚数Gを算出する。(商)の(余り)をh mmとして記憶する。
処理CTP26
残りの厚み調整部fと厚み調整材bを比較する。図４の八畳−<2>は、残りの厚み調整部1.0と厚み調整材2.0を比較する。
処理CTP27
f>=bの場合、残りの厚み調整部f を厚み調整材bで割って、(商)により厚み調整材bの枚数Gを算出する。(商)の(余り)をh mmとして記憶する。
処理CTP28
f<bの場合、残りの厚み調整部f を厚み調整材cで割って、(商)により厚み調整材cの枚数Iを算出する。(商)の(余り)をj mmとして記憶する。
図４の八畳−<2>は、1.0/1.0＝1・・・0.0    
処理CTP29
残りの厚み調整部hと厚み調整材cを比較する。
処理CTP30
h>=cの場合、残りの厚み調整部h を厚み調整材cで割って、(商)により厚み調整材cの枚数Iを算出する。(商)の(余り)をj mmとして記憶する。
処理CTP31
h<cの場合、厚み調整材cがI枚、I=0となる。
処理CTP32
共通の厚み枚数を算出する。厚み調整材はa mmがE枚、b mmがG枚、c mmがI枚。  図４の八畳−<2>は、厚み調整材は、3mmが1枚、2mmが0枚、1mmが1枚。
処理CTP33
下前左MLと下前中MCと下前右MRの厚み調整材の枚数は、CTP15とCTP32の厚み枚数を合計する。
下前左MLの厚み調整材は、a mmがE＋E’枚、b mmがG＋G’枚、c mmがI＋I’枚、下前中MCの厚み調整材は、a mmがE＋E’枚、b mmがG＋G’枚、c mmがI＋I’枚、下前右MRの厚み調整材は、a mmがE＋E’枚、b mmがG＋G’枚、c mmがI＋I’枚となる。
図４の八畳−<2>は、下前左MLの厚み調整材は、3 mmが2枚、2 mmが0枚、1 mmが1枚、下前中MCの厚み調整材は、3 mmが1枚、2 mmが0枚、1 mmが1枚、下前右MRの厚み調整材は、3 mmが1枚、2 mmが0枚、1 mmが1枚となる。
【００７１】
八畳−<2>の下前側の厚み調整結果は、下前の左側ＭＬの厚み調整量は厚み調整材Ａ、厚み１ｍｍ×１枚＝１ｍｍと、厚み調整材Ｂ、厚み２ｍｍ×０枚＝０ｍｍと、厚み調整材Ｃ、厚み３ｍｍ×２枚＝６ｍｍを加算した値で調整厚み合計は７ｍｍである。これを、図１３の畳の厚みデータレコードの表の○の中に代入して畳製造機器に送信する。
【００７２】
調整厚みの合計は７ｍｍで仕上がり畳の厚みは５５ｍｍで、畳の割り付け厚みは６２ｍｍとなり、これは、図４の八畳−<2>の、下前左の厚み割り付け値＝６２．０と一致する。
【００７３】
下前の中央ＭＣの厚み調整量は、厚み調整材Ａ、厚み１ｍｍ×１枚＝１ｍｍと、厚み調整材Ｂ、厚み２ｍｍ×０枚＝０ｍｍと、厚み調整材Ｃ、厚み３ｍｍ×１枚＝３ｍｍを加算した数値で調整厚みの合計は４ｍｍである。これを、前記の通り図１３の表の○の中に代入して畳製造機器に送信する。
畳の割り付け厚みは、調整厚み合計４ｍｍと、仕上がり畳の厚み５５ｍｍの合計値で５９ｍｍとなり、これは、図４の八畳−<2>の、下前中央の厚み割り付け値＝５９．０と一致する。
【００７４】
また、下前の右側ＭＲの厚み調整量は、厚み調整材Ａ、厚み１ｍｍ×１枚＝１ｍｍと、厚み調整材Ｂ、厚み２ｍｍ×０枚＝０ｍｍと、厚み調整材Ｃ、厚み３ｍｍ×１枚＝３ｍｍを加算した値で調整厚みの合計は４ｍｍとなり、これを、図１３の表の○の中に代入して畳製造機器に送信する。
【００７５】
畳の割り付け厚みは、調整厚み合計４ｍｍと、仕上がり畳の厚み５５ｍｍの合計値で５９ｍｍとなり、これは、図４の八畳−<2>の、下前右の厚み割り付け値＝５９．０と一致する。
【００７６】
次に左框と右框の厚み調整のアルゴリズムについて説明する。
図１４（ｃ）は框の厚み調整材料の選定と枚数算出のアルゴリズムのフローを示す。厚み調整計算アルゴリズムは、左右どちらの框も同一であるので、左框上と左框下で説明する。
【００７７】
厚み調整材a、b、c、畳表O、保護材H、畳床Tは、図９の STP1の材料厚み入力工程で入力した値であり、左框上KUと左框下KDは、図９のSTP3で入力した部屋の寸法測定装置から取り込んだ値であり、A、D、f、h、jは、図９のSTP5に記載の厚み調整計算工程で使用した値であり、折り返し回数N、厚み調整材の枚数E、G、Iは、図９のSTP6の結果出力の値であり、具体的な数値として、図４の八畳−<2>の畳の厚み割り付け数値を用いて説明する。
【００７８】
処理FTP1
左框上KUと左框下KDの厚みが異なっているか判断する。図４の八畳−<2>は左框上が58.0ｍｍ、左框下が63.0mmである。框の厚みが異なっており、FTP2へ進む。
処理FTP2
厚みが異なっている場合は、KU−KDの差を厚み調整部Aとする。図４の八畳−<2>は、厚み調整部A=63.0−58.0＝5.0mmとなる。
処理FTP3
図６（ａ）に示す予め決定された厚み調整材の厚みBの使用順位を決定する。1番目はa  mm、２番目はb  mm、3番目はc  mmとする。少ない厚み調整材の枚数で厚み調整をするアルゴリズムとする。例えば、aを3.0mm、bを2.0mm、cを1.0mmとする。
処理FTP4
厚み調整部Aと厚み調整材aを比較する。図４の八畳−<2>は、厚み調整部Aが5.0mm、厚み調整材aは3.0ｍｍである。
処理FTP5
A>=aの場合、厚み調整部A を厚み調整材aで割って、厚み調整材a(商)がE枚、残りの厚み調整部(余り)がf mmとなる。図４の八畳−<2>は、5.0／3.0＝1・・・2.0  
処理FTP6
A<aの場合、厚み調整部A を厚み調整材bで割って、厚み調整材b(商)がG枚、残りの厚み調整部(余り)がh mmとなる。
処理FTP7
残りの厚み調整部eと厚み調整材bを比較する。図４の八畳−<2>は、残りの厚み調整部2.0と厚み調整材2.0を比較する。
処理FTP8
f>=bの場合、残りの厚み調整部f を厚み調整材bで割って、厚み調整材b(商)がG枚、残りの厚み調整部(余り)がh  mmとなる。図４の八畳−<2>は、2.0／2.0＝1・・・0
処理FTP9
f<bの場合、残りの厚み調整部f を厚み調整材cで割って、厚み調整材c (商)がI枚、
残りの厚み調整部(余り)がj  mmとなる。
処理FTP10
残りの厚み調整部hと厚み調整材cを比較する。
処理FTP11
h>=cの場合、残りの厚み調整部h を厚み調整材cで割って、厚み調整材c(商)がI枚、残りの厚み調整部(余り)がj  mmとなる。   
処理FTP12
h<cの場合、厚み調整材cがI枚、I=0となる。
処理FTP13
左框上KUと左框下KDを比べて、厚みが少ない方を基準S’とする。図４の八畳−<2>は、左框下63.0mmと左框上58.0mmを比べて、厚みの少ない左框上をS’＝58.0ｍｍとする。
処理FTP14
折り返し部Dmm は、図６（ｂ）の計算式S’=F+O+H+T+Dより計算する。図４の八畳−<2>は、Fを1.0mm、Oを1.0mm、Hを2.0mm、Tを50.0mm、S’を58.0mmとし、D=58.0−1.0−1.0−2.0−50.0＝4.0
処理FTP15
畳表の折り返し回数は、(押し返し部D−畳表O)を畳表Oで割った回数とする。N＝（D−O）/Oであり、図４の八畳−<2>は、N＝(4.0−1.0)/1.0＝3.0回
処理FTP16
左框上KUと左框下KDの折り返し回数と厚みの枚数を算出する。
折り返し回数はN回、
左框上KUの厚み調整材はa mmがE枚、b mmがG枚、c mmがI枚、
左框下KDの厚み調整材はa mmがE枚、b mmがG枚、c mmがI枚、
【００７９】
図４の八畳−<2>は、畳表の折り返し回数3.0回、左框上KUの厚み調整材は、3mmが0枚、2mmが0枚、1mmが0枚、左框下KDの厚み調整材は、3mmが1枚、2mmが1枚、1mmが0枚となる。
【００８０】
八畳−<2>の框側の厚み調整結果は、左框上ＫＵの厚み調整量は、畳表Ａ、厚み１ｍｍ×３回＝３ｍｍで、厚み調整材Ａ、厚み調整材Ｂ、厚み調整材Ｃはゼロで、その結果、調整厚み合計は３ｍｍとなり、これを、図１３の表の○の中に代入して畳製造機器に送信する。
【００８１】
畳の割り付け厚みは、調整厚み合計３ｍｍと、仕上がり畳の厚み５５ｍｍの合計値であり、５８ｍｍとなり、これは、図４の八畳−<2>の、左框上側の、厚み割り付け値＝５８．０と一致する。
【００８２】
八畳−<2>の框側の厚み調整結果は、左框上ＫＤの厚み調整量は畳表Ａ、厚み１ｍｍ×３回＝３ｍｍと、厚み調整材Ａ、厚み１ｍｍ×０枚＝０ｍｍと、厚み調整材Ｂ、厚み２ｍｍ×１枚＝２ｍｍと、厚み調整材Ｃ、厚み３ｍｍ×１枚＝３ｍｍを加算した値で、調整厚みの合計は８ｍｍである。これを、図１３の表の○の中に代入して畳製造機器に送信する。
◎
【００８３】
畳の割り付け厚みは、調整厚み合計８ｍｍと、仕上がり厚み５５ｍｍの合計値であり、６３ｍｍとなり、これは、図４の八畳−<2>の、左框下側の、厚み割り付け値＝６３．０と一致する。
【００８４】
上記したアルゴリズムは厚み調整材料の選定と枚数算出のアルゴリズムの一例である。重ね合わせる厚み調整材料の枚数を少なくする方法のアルゴリズムである。また、縁（ヘリ）がある畳で説明しているが、縁（ヘリ）無し畳の場合は、縁（ヘリ）Ｆ＝０ｍｍとすれば良い。
【符号の説明】
【００８５】
１  畳
２  壁
３  床
４  柱
５  部屋続き敷居
６  出入口敷居
７  畳寄せ
８  厚み調整材
９ａ  床間
９ｂ  仏間
１０ａ〜１０ｉ  畳の周辺部位
１３  寸法測定装置
【図１】
2014095222.tif 000003
【図２】
2014095222.tif 000004
【図３】
2014095222.tif 000005
【図４】
2014095222.tif 000006
【図５】
2014095222.tif 000007
【図７】
2014095222.tif 000008
【図９】
2014095222.tif 000009
【図１０】
2014095222.tif 000010
【図１１】
2014095222.tif 000011
【図１３ａ】
2014095222.tif 000012
【図１３ｂ】
2014095222.tif 000013
【図１４ａ】
2014095222.tif 000014
【図１４ｂ】
2014095222.tif 000015
【図１４ｃ】
2014095222.tif 000016
【図１５】
2014095222.tif 000017
【図６】
2014095222.tif 000018
【図８】
2014095222.tif 000019
【図１２】
2014095222.tif 000020